(57)【要約】【課題】表示ユニットに局所的に大きな外力が加わった場合でも、破損を防止することができる電子機器を提供する。【解決手段】表示ユニット、表示ユニットを保持する金属製のシャーシ部材、表示ユニットの表示範囲において矩形開口部を有する外装とを備える電子機器において、外装の矩形開口部を形成する少なくとも１辺に他辺よりも高い凸形状を設け、凸形状の直下における位置において、該表示ユニットと該外装間に該シャーシ部材のヘミング曲げ形状部を有する。【選択図】図１
2013142889.tif 000002
【特許請求の範囲】
【請求項１】
表示ユニット（７）、表示ユニットを保持する金属製のシャーシ部材（９）、表示ユニットの表示範囲において矩形開口部を有する外装（４）とを備える電子機器において、外装の矩形開口部を形成する少なくとも１辺に他辺よりも高い凸形状（４ｂ）を設け、凸形状の直下における位置において、該表示ユニットと該外装間に該シャーシ部材のヘミング曲げ形状部（９ａ）を有したことを特徴とする電子機器。
【請求項２】
電気的接続を行うためのＦＰＣ（７ａ）を有した表示ユニットにおいて、表示ユニットからＦＰＣが延出する辺と前記凸形状の辺とが一致していることを特徴とする請求項１に記載の電子機器。
【請求項３】
電子機器の本体を把持した時に右手親指が触れる範囲内に上記凸形状部を有したことを特徴とする請求項１に記載の電子機器。
【請求項４】
電気的接続を行うためのＦＰＣを有した表示ユニットの上に更にタッチパネル（８）を有した電子機器において、表示ユニットのＦＰＣ接続部上部で、該タッチパネル外形とは重ならない位置に上記ヘミング曲げ形状部を有したことを特徴とする請求項１に記載の電子機器。
【発明の詳細な説明】
【技術分野】
【０００１】
本発明は、表示部を有する電子機器、特にはデジタルカメラに関するものである。
【背景技術】
【０００２】
近年、デジタルカメラにおいては、使用者の視認性を向上させるため、撮影画像の確認や撮影条件等の各種情報等の表示を行うために備えられた表示ユニット（液晶パネル、有機ＥＬ等）の大型化が主流となっている。
【０００３】
この表示ユニットの大型化に伴い、表示ユニットの直上に配置される外装においても、表示ユニットの表示範囲に対応するように設けられている開口部のサイズが大きくなっている。
【０００４】
しかし、これにより外装の開口部近傍の剛性も低下してしまうので、開口部サイズが小さいものと比較すると相対的に耐外力性が下がってしまう。
【０００５】
また、表示ユニット自体も大型化に伴い耐外力性が下がり、過度な外力が加わると表示ユニットの破損が発生する可能性があった。
【０００６】
このようなことから、特許文献１には以下のような技術が提案されている。即ち、特許文献１では、電子機器の表示ユニット近傍に加わった外力による表示ユニットの破損を防止するために、表示ユニットと外装の間にクッション材を挟み込み、更に外装の開口部に切り欠き部を形成することにより、外力を分散し外装の撓みを低減させている。
【先行技術文献】
【特許文献】
【０００７】
【特許文献１】特開2005-189512号公報
【発明の概要】
【発明が解決しようとする課題】
【０００８】
しかしながら、上記の従来技術では、局所的に大きな外力が加わった際には、クッション材を介して表示ユニットに外力が伝わり表示ユニットにダメージを与える可能性があることや、外装の開口部端部が表示ユニットに接触してしまい、同様に表示ユニットにダメージを与える可能性があり、表示ユニットの破損に対して十分な対策がなされていないという問題があった。
【０００９】
そこで本発明の目的は、表示ユニットに局所的に大きな外力が加わった場合でも、破損を防止することができる電子機器を提供することにある。
【課題を解決するための手段】
【００１０】
上記目的を達成するために、請求項１に記載の電子機器は、
表示ユニット、表示ユニットを保持する金属製のシャーシ部材、表示ユニットの表示範囲において矩形開口部を有する外装とを備える電子機器において、外装の矩形開口部を形成する少なくとも１辺に他辺よりも高い凸形状を設け、凸形状の直下における位置において、該表示ユニットと該外装間に該シャーシ部材のヘミング曲げ形状部を有したことを特徴とする。
【発明の効果】
【００１１】
本発明の電子機器によれば、表示ユニットに局所的に大きな外力が加わった場合でも表示ユニット  へのダメージを最小限に減らし破損を防止することが出来る。
【図面の簡単な説明】
【００１２】
【図１】本発明の実施の形態におけるデジタルカメラの液晶表示ユニット周辺断面図である。
【図２】本発明の実施の形態におけるデジタルカメラの正面側斜視図である。
【図３】本発明の実施の形態におけるデジタルカメラの背面側斜視図である。
【図４】本発明の実施の形態におけるデジタルカメラのシャーシ単体図である。
【図５】本発明の実施の形態におけるデジタルカメラの液晶表示ユニット組付け図である。
【図６】本発明の実施の形態におけるデジタルカメラのリアカバー単体図である。
【発明を実施するための形態】
【００１３】
［実施例］
以下、本発明の実施の形態を図面に基づいて説明する。
【００１４】
まず、図２及び図３を用いて説明する。図２は本発明の実施例のデジタルカメラを示す正面側斜視図であり、図３は本発明の実施例のデジタルカメラを示す背面側斜視図である。
【００１５】
１はデジタルカメラ本体を示し、２はレンズ鏡筒を示す。デジタルカメラ１は２のレンズ鏡筒より得た被写体像をＣＣＤ撮像素子で受光し画像データを生成する。
【００１６】
３はフロントカバーを示し、金属で形成されたデジタルカメラ１の正面側の外装である。
【００１７】
４はリアカバーを示し、樹脂で形成されたデジタルカメラ１の背面側の外装である。
【００１８】
５はズームレバーを示し、時計回りに回転させることで望遠側、反時計回りに回転させることで広角側へレンズ鏡筒２の画角を変化させることが可能となっている。
【００１９】
６は２段スイッチ構成のレリーズボタンとなっており、ズームレバー５と同軸上に配置され１段目のスイッチを押下するとレンズ鏡筒２内のＡＦモーターを駆動させフォーカス調整を行い、２段目のスイッチを押下することで図示しないデジタルカメラ１から着脱可能なメモリーカードへ撮影画像の記録を行う。
【００２０】
７は液晶表示ユニットを示し、ユーザーは撮影時のスルー画像や撮影プレビュー画像、また再生時の撮影画像等を確認することが出来る。更に液晶表示ユニット７の上には８のタッチパネルが配置されており、例えば、撮影時のスルー画像状態で所望の被写体部を指で触れることにより、ＡＦやＡＥを指示した被写体に合わせることが出来る。また８は各種操作ボタンを示し、撮影時はストロボ発光モード、ＡＦモード、ドライブモード等の切り替えが可能となり、再生時は表示する画像の切り替えや画像データの削除等といった操作等を可能とするものである。
【００２１】
ところで、リアカバー４には液晶表示ユニット７に対応した矩形開口部４ａを有しており、更に矩形開口部を形成する４辺の内、右側短辺部に４ｂの凸形状部が設けられている。
【００２２】
この凸形状部４ｂは使用者がデジタルカメラ本体を把持した場合に右手の親指が届く位置となっており、グリップ性の向上に寄与すると共に、液晶表示ユニット７に不用意に親指を乗せてしまわないよう防止する役目も果たしている。
【００２３】
次に図１、図４、及び図５を用いて内部構成を含めた説明をする。
【００２４】
図１は本発明の実施例のデジタルカメラにおける液晶表示ユニット周辺を示した断面図である。
【００２５】
図４は本発明の実施例のデジタルカメラにおけるシャーシ部材を単体で示した図である。
【００２６】
また、図５は本発明の実施例のデジタルカメラにおいてシャーシ部材に液晶表示ユニットを組み付ける際の様子を示した図である。
【００２７】
図４において、９はシャーシ部材を示し、デジタルカメラ１の完成状態において液晶表示ユニット７やレンズ鏡筒２、更には図示しない電池収納部材等を保持するステンレス鋼板で形成された部材である。またシャーシ部材９は９ｂの穴形状を有しており、これは図５に示すように液晶表示ユニット７やタッチパネル８を組み付ける際に７ａの液晶表示ユニット用ＦＰＣや８ａのタッチパネル用ＦＰＣを通過させるためのものである。
【００２８】
ところが、この穴形状９ｂを有するがために図４の矢印方向に外力が加わった場合の強度が低下してしまう。そこで、本実施例では穴形状側、即ち液晶表示ユニットのＦＰＣ側にヘミング曲げ形状９ａを設けている。また更に、ヘミング曲げ形状部９ａの両端部９ｃを上辺、及び下辺の折り曲げ形状部で受ける構成としている。これにより、図４の矢印方向の外力に対しても高強度となる。
【００２９】
更に図１に示すように、デジタルカメラ完成状態においては、液晶表示ユニット７の上にタッチパネル８が１０に示すスペーサシートにより液晶ユニットと粘着固定されている。
【００３０】
このスペーサシートはタッチパネルを保持するだけではなく、液晶表示ユニットとタッチパネル間のクリアランスを適正に保つ役割もしている。
【００３１】
ところで、図１のようにタッチパネル８は液晶表示ユニット７よりも小さな外形で構成されている。これは液晶表示ユニットがガラス上にドライバＩＣを実装する必要性や、多極のＦＰＣを接続するために広い面積を必要とすることに対して、タッチパネルはドライバＩＣをタッチパネル自体に実装する必要性がないことや、極数が少ないＦＰＣの接続で済むためそれ程広い面積を必要としないからである。
【００３２】
即ち、上記により液晶表示ユニット７とリアカバー４の間の空間でタッチパネル８とは重ならない位置にシャーシ部材９のヘミング曲げ形状部９ａを配置することができる。
【００３３】
これにより、デジタルカメラ１の厚み方向を増すことなく、高強度の補強が可能となり、更に、液晶表示ユニットの表示範囲により近い位置で補強ができるので、液晶表示ユニットへの外力の影響をより効果的に低減させることが可能となる。
【００３４】
また上述したようにリアカバー４には矩形開口部を形成する右側短辺部に４ｂの凸形状部を有しているが、図１に示すように凸形状部４ｂはヘミング曲げ形状部９ａの直上に形成されている。
【００３５】
このことにより、図１の矢印方向に外力が加わる場合、凸形状部４ｂに最も外力が直接伝わり易くなり、そしてその凸形状部４ｂの直下には高強度のヘミング曲げ形状部９ａが配置されているため、リアカバー４が変形して直接タッチパネルや液晶表示ユニットにダメージを与えてしまうリスクを極限まで低減させることが可能となり、破損を防止することができる。
【００３６】
ところで、デジタルカメラ本体の厚みを薄くするためには液晶表示ユニットの上部を形成するリアカバーの肉厚を極力薄くすることが必要となる。しかし、本実施例のようにリアカバー４を樹脂で形成した場合にリアカバーの肉厚を過度に薄くすると、図６にリアカバー単体を示すように液晶表示ユニットの表示範囲を形成する矩形開口部４ａの強度において上下左の３辺はリアカバーの側面までの距離が短いため強度が高いが、右側短辺は操作ボタンが配置されるためにリアカバーの側面までの距離が長くなり、強度の低下を招いてしまう。
【００３７】
これは特に、図６における矢印方向への力に対しての強度が弱いため、例えばユーザーが右側短辺に爪を引っ掛けて引っ張ると容易に変形してしまうといった問題がある。
【００３８】
ところが、本実施例では上述したように、矩形開口部右側短辺に凸形状部を有しているため、リアカバーの肉厚も部分的に右側短辺が厚く構成されており、強度が他辺に比べ低下するといったことがなくなり、より高品位なデジタルカメラを提供することが可能となる。
【００３９】
本実施例では、リアカバーに樹脂を用いたが、例えばマグネシウム合金などの金属で形成したリアカバーにも適用できる。
【００４０】
また、本実施例では表示ユニットに液晶を用いたが、有機ＥＬなど他の表示ユニットにも適用できる。
【符号の説明】
【００４１】
１  ：デジタルカメラ本体
４  ：リアカバー
４ａ：矩形開口部
４ｂ：凸形状部
７  ：液晶表示ユニット
８  ：タッチパネル
９  ：シャーシ  
９ａ：ヘミング曲げ形状部
【図１】
2013142889.tif 000003
【図２】
2013142889.tif 000004
【図３】
2013142889.tif 000005
【図４】
2013142889.tif 000006
【図５】
2013142889.tif 000007
【図６】
2013142889.tif 000008